(57)【要約】【課題】  リモートコントローラの説明画像を表示することにおいて専用のキーを設けたりキー操作の組み合わせを必要としないリモートコントロールシステムを提供する。【解決手段】  リモートコントローラ１０には、当該リモートコントローラにおいて生じる振動を検知して情報を出力する振動情報出力部が設けられる。リモートコントローラ１０のリモコンコード生成部は、前記振動情報出力部から第１閾値以上の振動が生じたとの情報を受け取ったときに、リモートコントローラの説明画像の表示指令となる表示リモコンコードを出力する。ディジタル放送受信装置３０は、前記表示リモコンコードを受け取ったときには、前記リモートコントローラの説明画像を画面に表示する。【選択図】図１
2007295119.tif 000002
【特許請求の範囲】
【請求項１】
リモートコントローラと、前記リモートコントローラによって制御される映像表示装置から成るリモートコントロールシステムであって、
前記リモートコントローラは、当該リモートコントローラにおいて生じた振動の大きさに関する情報を出力する振動情報出力部と、前記振動情報出力部から第１閾値以上の振動が生じたとの情報を受け取ったときに説明表示コードを出力する指令出力部と、を備え、
前記映像表示装置は、前記説明表示コードを受け取ったときに、前記リモートコントローラの説明画像を画面に表示することを特徴とするリモートコントロールシステム。
【請求項２】
請求項１に記載のリモートコントロールシステムにおいて、前記リモートコントローラの前記指令出力部は、前記振動情報出力部から振動が第２の閾値（第１閾値＞第２閾値）を下回るとの情報を受け取ったときには、説明終了コードを送出し、
前記映像表示装置は、前記リモートコントローラの説明画像を画面に表示している状態で前記説明終了コードを受け取ったときには、前記リモートコントローラの説明画像を消去することを特徴とするリモートコントロールシステム。
【請求項３】
リモートコントローラと、前記リモートコントローラによって制御される映像表示装置から成るリモートコントロールシステムであって、
前記リモートコントローラは、当該リモートコントローラにおいて生じた振動の大きさ及び方向に関する情報を出力する振動情報出力部と、前記振動情報出力部から第１閾値以上の振動が生じたとの情報を受け取ったときに振動方向に対応したコードを出力する指令出力部と、を備え、
前記映像表示装置は、前記リモートコントローラの説明画像を画面に表示していない状態で前記振動方向に対応したコードを受け取ったときには、どの方向に関するコードであろうと前記リモートコントローラの説明画像を画面に表示する一方、前記リモートコントローラの説明画像を画面に表示している状態で前記振動方向に対応したコードを受け取ったときには、当該コードに応じて前記リモートコントローラの説明画像の内容及び／又は大きさを変化させることを特徴とするリモートコントロールシステム。
【請求項４】
請求項３に記載のリモートコントロールシステムにおいて、前記リモートコントローラの前記指令出力部は、前記振動情報出力部から各方向の振動に関して全て第２の閾値（第１閾値＞第２閾値）を下回るとの情報を受け取ったときには、説明終了コードを送出し、
前記映像表示装置は、前記リモートコントローラの説明画像を画面に表示している状態で前記説明終了コードを受け取ったときには、前記リモートコントローラの説明画像を消去することを特徴とするリモートコントロールシステム。
【請求項５】
請求項１乃至請求項４のいずれかに記載のリモートコントロールシステムにおいて、前記映像表示装置は、前記リモートコントローラの説明画像を画面に表示している状態で、所定時間が経過する間前記リモートコントローラから全く情報を受け取らなかったときには、前記リモートコントローラの説明画像を消去することを特徴とするリモートコントロールシステム。
【請求項６】
請求項１乃至請求項５のいずれかに記載のリモートコントロールシステムにおいて、前記振動情報出力部から情報を受け取る前記指令出力部は、前記映像表示装置に対する本来の操作指令を出力する指令出力部とは別個に備えられていることを特徴とするリモートコントロールシステム。
【請求項７】
請求項１乃至請求項６のいずれかに記載のリモートコントロールシステムにおいて、前記リモートコントローラの各キーにはタッチセンサが設けられており、当該リモートコントローラはタッチされたキーを特定する情報を送出し、前記映像表示装置は前記リモートコントローラの説明画像を画面に表示している状態で前記タッチされたキーを特定する情報を受け取ったときには、前記リモートコントローラの説明画像として該当キーの説明画像を表示することを特徴とするリモートコントロールシステム。
【請求項８】
請求項１乃至請求項６のいずれかに記載のリモートコントロールシステムにおいて、前記映像表示装置は前記リモートコントローラの説明画像を画面に表示している状態で通常のリモコンコードを受け取ったときには、前記リモートコントローラの説明画像として該当リモコンコードに対応するキーの説明画像を表示し、このキーの説明画像を表示している状態で続けて同じリモコンコードを受け取ったときには、当該リモコンコードで指令される処理を実行することを特徴とするリモートコントロールシステム。
【発明の詳細な説明】
【技術分野】
【０００１】
この発明は、リモートコントローラと当該リモートコントローラによって制御される映像表示装置から成るリモートコントロールシステムに関する。
【背景技術】
【０００２】
例えば、ＴＶ用リモートコントローラのキー数は、テレビジョンセットの近年の多機能化によって多くなっている。一方、キー数を減らすために、一つのキーに複数の機能を割り当てることも行われている。そして、キー数が増えればリモートコントローラ本体に印刷されるキー説明文字のスペースも少なくなる一方、一つのキーを多機能で共用すると、その共用機能におけるキー説明文字の数が増えてしまう。更に、取扱説明書の記載内容も複雑になってきている。
【０００３】
そこで、リモートコントローラを模した図（画像）に各キーの説明を付記した画像をテレビジョンセットの画面に表示することで、ユーザにリモートコントローラの説明を行うことが考えられている（特許文献１，２，３参照）。なお、振動センサを備えたリモートコントローラが知られている（特許文献４参照）。
【特許文献１】特開平０９−１３０６９５号公報
【特許文献２】特開平１１−３５５６０２号公報
【特許文献３】特開２００１−２８５９６５号公報
【特許文献４】特開平１１−２８５０８３号公報
【発明の開示】
【発明が解決しようとする課題】
【０００４】
しかしながら、上記従来技術のごとく、リモートコントローラを模した図に各キーの説明を付記した画像をテレビジョンセットの画面に表示するにしても、当該表示のためにはその専用のキーを設けたり、或いはキー操作の組み合わせが必要になり、リモートコントローラのキー数削減或いは操作簡略化を十分に実現できるものではなかった。
【０００５】
この発明は、上記の事情に鑑み、リモートコントローラの説明画像を表示することにおいて専用のキーを設けたりキー操作の組み合わせを必要としないリモートコントロールシステムを提供することを目的とする。
【課題を解決するための手段】
【０００６】
この発明のリモートコントロールシステムは、上記の課題を解決するために、リモートコントローラと、前記リモートコントローラによって制御される映像表示装置から成るリモートコントロールシステムであって、前記リモートコントローラは、当該リモートコントローラにおいて生じた振動の大きさに関する情報を出力する振動情報出力部と、前記振動情報出力部から第１閾値以上の振動が生じたとの情報を受け取ったときに説明表示コードを出力する指令出力部と、を備え、前記映像表示装置は、前記説明表示コードを受け取ったときに、前記リモートコントローラの説明画像を画面に表示することを特徴とする（以下、この項において第１構成という）。
【０００７】
上記第１構成であれば、リモートコントローラにおいて生じた振動によってリモートコントローラの説明表示を映像表示装置に指示することになるから、リモートコントローラの説明画像を表示することにおいて専用のキーを設けたりキー操作の組み合わせを必要としないことになる。
【０００８】
上記第１構成において、前記リモートコントローラの前記指令出力部は、前記振動情報出力部から振動が第２の閾値（第１閾値＞第２閾値）を下回るとの情報を受け取ったときには、説明終了コードを送出し、前記映像表示装置は、前記リモートコントローラの説明画像を画面に表示している状態で前記説明終了コードを受け取ったときには、前記リモートコントローラの説明画像を消去することとしてもよい。
【０００９】
また、この発明のリモートコントロールシステムは、リモートコントローラと、前記リモートコントローラによって制御される映像表示装置から成るリモートコントロールシステムであって、前記リモートコントローラは、当該リモートコントローラにおいて生じた振動の大きさ及び方向に関する情報を出力する振動情報出力部と、前記振動情報出力部から第１閾値以上の振動が生じたとの情報を受け取ったときに振動方向に対応したコードを出力する指令出力部と、を備え、前記映像表示装置は、前記リモートコントローラの説明画像を画面に表示していない状態で前記振動方向に対応したコードを受け取ったときには、どの方向に関するコードであろうと前記リモートコントローラの説明画像を画面に表示する一方、前記リモートコントローラの説明画像を画面に表示している状態で前記振動方向に対応したコードを受け取ったときには、当該コードに応じて前記リモートコントローラの説明画像の内容及び／又は大きさを変化させることを特徴とする（以下、この項において第２構成という）。
【００１０】
上記第２構成であれば、リモートコントローラにおいて生じた振動によってリモートコントローラの説明表示を映像表示装置に指示することになるから、リモートコントローラの説明画像を表示することにおいて専用のキーを設けたりキー操作の組み合わせを必要としないことになる。更に、前記振動方向に対応したコードによって、前記リモートコントローラの説明画像の内容及び／又は大きさを変化させることができる。
【００１１】
上記第２構成において、前記リモートコントローラの前記指令出力部は、前記振動情報出力部から各方向の振動に関して全て第２の閾値（第１閾値＞第２閾値）を下回るとの情報を受け取ったときには、説明終了コードを送出し、前記映像表示装置は、前記リモートコントローラの説明画像を画面に表示している状態で前記説明終了コードを受け取ったときには、前記リモートコントローラの説明画像を消去することとしてもよい。
【００１２】
これら構成のリモートコントロールシステムにおいて、前記映像表示装置は、前記リモートコントローラの説明画像を画面に表示している状態で、所定時間が経過する間前記リモートコントローラから全く情報を受け取らなかったときには、前記リモートコントローラの説明画像を消去することとしてもよい。
【００１３】
これら構成のリモートコントロールシステムにおいて、前記振動情報出力部から情報を受け取る前記指令出力部は、前記映像表示装置に対する本来の操作指令を出力する指令出力部とは別個に備えられていてもよい。
【００１４】
これら構成のリモートコントロールシステムにおいて、前記リモートコントローラの各キーにはタッチセンサが設けられており、当該リモートコントローラはタッチされたキーを特定する情報を送出し、前記映像表示装置は前記リモートコントローラの説明画像を画面に表示している状態で前記タッチされたキーを特定する情報を受け取ったときには、前記リモートコントローラの説明画像として該当キーの説明画像を表示することとしてもよい。
【００１５】
或いは、これら構成のリモートコントロールシステムにおいて、前記映像表示装置は前記リモートコントローラの説明画像を画面に表示している状態で通常のリモコンコードを受け取ったときには、前記リモートコントローラの説明画像として該当リモコンコードに対応するキーの説明画像を表示し、このキーの説明画像を表示している状態で続けて同じリモコンコードを受け取ったときには、当該リモコンコードで指令される処理を実行することとしてもよい。
【発明の効果】
【００１６】
この発明であれば、リモートコントローラの説明画像を表示することにおいて専用のキーを設けたりキー操作の組み合わせを必要としないという効果を奏する。
【発明を実施するための最良の形態】
【００１７】
以下、この発明の実施形態を図１及び図２に基づいて説明するが、ここでは映像表示装置としてＢＳ（Ｂｒｏａｄｃａｓｔｉｎｇ  Ｓａｔｅｌｌｉｔｅ）ディジタル放送受信装置を例示している。
【００１８】
図１において、アンテナ１は、屋外において所定の方向に向けて配置されており、ＢＳから送られてくるディジタル放送波を受信する。このアンテナ１は一般に周波数変換器を備え、受信／周波数変換した信号をチューナ２に与える。
【００１９】
チューナ２は、受信した高周波ディジタル変調信号のうちから特定周波数を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポートストリームを出力する。
【００２０】
デマルチプレクサ（ＤＥＭＵＸ）３は、チューナ２から出力されるトランスポートストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、及びＰＳＩ／ＳＩに分離する。
【００２１】
ＡＶデコーダ４は、ビデオストリームに対してデコードを行うビデオデコーダ、及びオーディオストリームに対してデコードを行うオーディオデコーダを備える。ビデオデコーダは、入力された符号化信号を量子化係数に基づいて逆量子化し、逆ＤＣＴ変換と動きベクトルとにより映像データを生成する。オーディオデコーダは、入力された符号化信号を復号して音声データを生成する。デコードにより生成された映像データは映像処理回路５に出力され、音声データは音声処理回路６に出力される。
【００２２】
映像処理回路５は、ＡＶデコーダ４から映像データを受け取ってＤ／Ａ変換を行い、例えばコンポジット映像信号に変換する。音声信号処理回路６は、ＡＶデコーダ４から出力された音声データを受け取ってＤ／Ａ変換を行い、例えば右（Ｒ）音のアナログ信号及び左（Ｌ）音のアナログ信号を生成する。
【００２３】
映像出力回路７及び音声出力回路８は出力抵抗や増幅器等を備えて成る。ＡＶ出力端子９には出力部が設けられており、この出力部には、映像／音声コード１７によってディスプレイ１６ａ及びスピーカ１６ｂを備えるモニタ１６が接続される。
【００２４】
メモリ（ＲＯＭ、ＲＡＭ、ＥＥＰＲＯＭ等）１４には、リモートコントローラ１０における一部又は全部を模した画像にキー説明を付記した画像データ、各キーの詳細を説明する文字情報などが格納される。
【００２５】
ＯＳＤ回路１２は、マイコン１３から出力指示された文字情報や画像データに基づく映像データを生成して加算器２０に出力する。加算器２０は前記映像データをＡＶデコーダ４から出力される受信映像データに組み込む処理を行う。上記ＯＳＤ回路１２により、メッセージ画面やリモートコントローラの説明画像などの表示が実現される。
【００２６】
音声合成回路２３は、作成されたメッセージデータの音声信号化（Ｄ／Ａ変換）を行い、音声出力回路８に出力する。音声合成回路２３により、リモートコントローラのキー説明等の音声出力も行えることになる。
【００２７】
リモートコントローラ１０は、当該放送受信装置３０に指令を送出するための送信機である。このリモートコントローラ１０からは、操作されたキーに対応した指令或いは振動に対応した指令を意味する情報（リモコンコード）が送出される。第１受信部１１Ａは、後述する第１送信部１０ｃからの情報（リモコンコード）を受信し、これを電気信号に変換してマイコン１３に与える。同様に、第２受信部１１Ｂは、後述する第２送信部１０ｇからの情報（リモコンコード）を受信し、これを電気信号に変換してマイコン１３に与える。
【００２８】
図２はリモートコントローラ１０のブロック図である。リモートコントローラ１０は、その本来の機能部として、操作キー部１０ａ、第１リモコンコード生成部１０ｂ、第１送信部１０ｃを備える。操作キー部１０ａの各キーが押下されると、第１リモコンコード生成部１０ｂの対応端子がアースされ、第１リモコンコード生成部１０ｂはアースされた端子に応じたリモコンコードを選択して第１送信部１０ｃに与える。第１送信部１０ｃは与えられたリモコンコードに応じて送信波を変調する。この実施例では、送信波は赤外光としている。
【００２９】
振動情報出力部１０ｄは、右方向振動センサと、左方向振動センサと、上方向振動センサと、下方向振動センサと、を備えて成る。各センサは例えば加速度センサから成る。ここで、右、左、上、下は、リモートコントローラ１０の長手方向を基準とした方向である。
【００３０】
また、各センサは第１閾値と第２閾値（第１閾値＞第２閾値）を生成する基準電圧発生部と、各センサのセンサ出力（電圧）と各閾値（電圧）とをそれぞれ比較する第１，第２コンパレータと、を備える。なお、第１閾値は、ユーザがリモートコントローラ１０を手にする際の振動及びユーザが意図的にリモートコントローラ１０を動かした（振った）際の振動に対して前記センサが出力する値よりも幾分小さい値に設定されている。また、第２閾値は、殆ど振動が生じていないときに前記センサが出力する値よりも幾分大きな値に設定されている。前記センサの出力する値が第２閾値を下回るときには、リモートコントローラ１０はテーブル上に置かれている状態であると見做すことができる。前記センサの出力する値が第１閾値未満で第２閾値以上であるときには、ユーザがリモートコントローラ１０を普通に手に持っているときであると見做すことができる。
【００３１】
或るセンサからのセンサ出力が第１閾値以上であることを示す信号が前記第１コンパレータから出力されると、振動情報出力部１０ｄは、当該センサに対応する第２リモコンコード生成部１０ｅの端子をアースする（振動情報出力部１０ｄは、前記端子にＬＯＷを出力する）。第２リモコンコード生成部１０ｅはアースされた端子に応じたリモコンコードを第２送信部１０ｇに与える。
【００３２】
例えば、（１）右方向振動センサのセンサ出力が第１閾値以上であれば、コードＡ送出端子がアースされ、第２リモコンコード生成部１０ｅはリモコンコードＡを第２送信部１０ｇに与える。（２）左方向振動センサのセンサ出力が第１閾値以上であれば、コードＢ送出端子がアースされ、第２リモコンコード生成部１０ｅはリモコンコードＢを第２送信部１０ｇに与える。（３）上方向振動センサのセンサ出力が第１閾値以上であれば、コードＣ送出端子がアースされ、第２リモコンコード生成部１０ｅはリモコンコードＣを第２送信部１０ｇに与える。（４）下方向振動センサのセンサ出力が第１閾値以上であれば、コードＤ送出端子がアースされ、第２リモコンコード生成部１０ｅはリモコンコードＤを第２送信部１０ｇに与える。
【００３３】
一方、各センサ出力が第２閾値を下回ることを示す信号は前記第２コンパレータから表示停止判断部１０ｆに与えられる。表示停止判断部１０ｆは、例えばＮＡＮＤ回路からなり、各センサ出力の全てが第２閾値を下回る（このときの各センサ出力はＨＩＧＨであるとする）とき、第２リモコンコード生成部１０ｅのコードＥ送出端子をアースする（表示停止判断部１０ｆは、コードＥ送出端子にＬＯＷを出力する）。第２リモコンコード生成部１０ｅはコードＥ送出端子がアースされると、リモコンコードＥを第２送信部１０ｇに与える。リモコンコードＥは、リモートコントローラ説明画像を非表示にする指令となる。
【００３４】
マイコン１３は、このディジタル放送受信装置３０における全体制御を行うものであるが、特にこの発明にかかる制御として以下に説明するリモートコントローラ説明画像表示に関連する処理を行う。
【００３５】
マイコン１３は、表示状態フラグを有している。この表示状態フラグは、リモートコントローラ説明画像を表示しているときには、「１」とされ、リモートコントローラ説明画像を表示していないときには、「０」とされる。
【００３６】
（１）マイコン１３は、表示状態フラグが「０」のときに、リモコンコードＡ〜Ｄのいずれかを受け取ると、リモートコントローラ説明画像を表示する。リモートコントローラ説明画像は、例えば、ディスプレイ１６ａを４等分した大きさで画面右下に表示される。マイコン１３は、表示状態フラグを「１」にする。
【００３７】
（２）マイコン１３は、表示状態フラグが「１」のときに、キー操作に基づき第１リモコンコード生成部１０ｂで生成されたリモコンコードを受け取ると、該当キーの説明画像を表示する。すなわち、ユーザは、リモートコントローラ説明画像が表示されている状態で、機能（動作）を知りたいキーを押下すると、当該キーについての説明を前記画面上で知ることが可能になる。このキー説明が表示されている状態で当該キーが更に（続けて）操作されると、当該キーで指令される処理をマイコン１３は実行する。この実行時には、キー説明画像を消去することとしてもよい。なお、キー説明画像の表示は行わないこととしてもよい。すなわち、リモートコントローラ説明画像が表示されている状態でキーが押下されたときには直ちに当該キーで指令される処理をマイコン１３が実行してもよい。
【００３８】
また、リモートコントローラ１０の各キーにタッチセンサを設け、キーの押下ではなくてキーにタッチすることでそのキーについての説明が得られるようにしてもよい。かかる構成の実現のために、例えば、各キーに設けたタッチセンサの出力を受け取る第３リモコンコード生成部を備えてもよい。第３リモコンコード生成部は、各キーについての説明を求めることを意味するリモコンコードを生成する。このリモコンコードは第１送信部１０ｃまたは第２送信部１０ｇに与えることとすればよい。ＣＰＵ１３は、表示状態フラグが「１」のときに、各キーについての説明を求めることを意味するリモコンコードを受け取ると、該当キーの説明画像を表示する。かかる構成であれば、各キーにタッチすることでそのキーの説明を求めることができる一方、各キーを押下すれば、第１リモコンコード生成部１０ｂによる通常のリモコン指令をマイコン１３に与えることができる。
【００３９】
なお、各キーの説明画像の表示とともに、各キーの音声説明を音声合成部２３を用いて行うこととしてもよい。
【００４０】
（３）マイコン１３は、表示状態フラグが「１」のときに、第２リモコンコード生成部１０ｅで生成されたリモコンコードを受け取ると、例えば、以下のごとく処理を行う。（イ）．マイコン１３は、リモコンコードＡを受け取ると、リモートコントローラ説明における次ページに相当する説明画像データをメモリ１４から読み出してＯＳＤ表示を行う。（ロ）．マイコン１３は、リモコンコードＢを受け取ると、リモートコントローラ説明における前ページに相当する説明画像データをメモリ１４から読み出してＯＳＤ表示を行う。（ハ）．マイコン１３は、リモコンコードＣを受け取ると、リモートコントローラ説明画像の拡大表示を行う。拡大ＯＳＤ表示は、画像データの画素補間処理によって行うことができる（マイコン１３はスケーラ機能を備えればよい）。（ニ）．マイコン１３は、リモコンコードＤを受け取ると、リモートコントローラ説明画像の縮小表示を行う。縮小ＯＳＤ表示は、画像データの画素間引き処理によって行うことができる（マイコン１３はスケーラ機能を備えればよい）。
【００４１】
（４）なお、マイコン１３は、表示状態フラグが「１」のとき、リモートコントローラ１０に設けられている方向キー（例えば、十字キー）における右方向キー、左方向キー、上方向キー、下方向キーがそれぞれ押下されたときに（第１リモコンコード生成部１０ｂから各キーコードを受け取ったときに）、上述した（イ）〜（ニ）の処理を行うこととしてもよい。そして、右方向キー、左方向キー、上方向キー、下方向キーにおけるキー説明は、各キーがタッチされたとき（第３リモコンコード生成部で生成される各キーコードを受け取ったとき）に行うこととしてもよい。
【００４２】
（５）マイコン１３は、表示状態フラグが「１」のときに、第２リモコンコード生成部１０ｅで生成されたリモコンコードＥを受け取ると、リモートコントローラ説明の画面表示処理を終了する（非表示とする）。そして、マイコン１３は、表示状態フラグを「０」にする。なお、ユーザがリモートコントローラ１０を手に持ちながらリモートコントローラ説明画像を見ているときには、第２リモコンコード生成部１０ｅにおいてリモコンコードＥは生成されないから、ユーザはリモートコントローラ説明画像を見続けることができる。
【００４３】
（６）マイコン１３は、表示状態フラグが「０」のときには、第２リモコンコード生成部１０ｅで生成されたリモコンコードＥを受け取っても、何の処理も行わない。
【００４４】
なお、上記の実施例では、第１リモコンコード生成部１０ｂからのリモコンコードの送出を担う第１送信部１０ｃと、第２リモコンコード生成部１０ｅからのリモコンコードの送出を担う第２送信部１０ｇと、を別々に設けているので、例えば、同じ赤外光出力でも、使用周波数帯域を異ならせ且つ第２送信部１０ｇの赤外光出力を大きくするといったことが可能となる。ユーザがリモートコントローラ１０を手に持つときには、その方向（送信部の向き）は必ずしも放送受信装置３０の方向に向いていないことが多く、リモートコントローラ１０がどの方向を向いていても第２送信部１０ｇからの信号を受け取れるようにしておくのが望ましいからである。第１送信部１０ｃの出力を赤外光出力とし、第２送信部１０ｇの出力を超音波出力としたりする（キャリアを相違させる）こともできる。
【００４５】
勿論、第１送信部１０ｃと第２送信部１０ｇを共用する構成としても構わないし、第１リモコンコード生成部１０ｂと第２リモコンコード生成部１０ｅとを一体化することも可能である。
【００４６】
また、上記の実施例では、振動の方向も検出することとしたが、方向を問わずに単に振動を検出することとしてもよい。すなわち、前記リモートコントローラ１０において、振動情報出力部１０ｄは、当該リモートコントローラ１０において生じた振動の大きさに関する情報を出力する（方向を問わずに単に振動を検出する。例えば、右方向振動検出部だけを備えるなど）。第２リモコンコード生成部１０ｅは、前記振動情報出力部１０ｄから第１閾値以上の振動が生じたとの情報を受け取ったときに、説明画像表示の指令を意味する表示リモコンコードを出力する。放送受信装置３０は、前記表示リモコンコードを受け取ったときに、前記リモートコントローラの説明画像を画面に表示する。また、第２リモコンコード生成部１０ｅは、前記振動情報出力部１０ｄから振動が第２の閾値（第１閾値＞第２閾値）を下回るとの情報を受け取ったときには、説明画像表示終了の指令を意味する終了リモコンコードを出力する。装置３０は、前記リモートコントローラの説明画像を画面に表示している状態で前記終了リモコンコードを受け取ったときには、前記リモートコントローラの説明画像を消去する。
【００４７】
また、マイコン１３はリモートコントローラ説明画像を表示している状態で、所定時間が経過する間、第２リモコンコード生成部１０ｅから何にもリモコンコードが送られてこないときに、リモートコントローラ説明画像の表示を終了させることとしてもよい。
【００４８】
また、メニュー画面に「説明画面設定」といった項目を設け、この項目が選択されて決定キーが押下されたときに、リモートコントローラ説明画像を表示するか否かをユーザに選択させるための画面を表示するようにしておいてもよい。ユーザは、リモートコントローラ１０の操作に慣れてきたときには、上記画面において、「リモートコントローラの説明画像を表示しない」を選択すればよい。
【００４９】
また、上述した実施例では、映像表示装置としてディジタル放送受信装置を示したが、これに限るものではなく、例えば、ビデオディスクプレーヤ（レコーダ）、ハードディスプレーヤ（レコーダ）、などの映像機器も映像表示装置に含まれる。
【００５０】
また、加速度センサに替えて又はこれと共に角速度センサ等を備えたり、左右上下方向の振動検出に替えて又はこれと共に回転振動を検出することとしてもよいものである。
【図面の簡単な説明】
【００５１】
【図１】この実施形態のリモートコントロールシステムを構成するディジタル放送受信装置（映像表示装置）を示したブロック図である。
【図２】この実施形態のリモートコントロールシステムを構成するリモートコントローラの構成図である。
【符号の説明】
【００５２】
１    アンテナ
２    チューナ
３    デマルチプレクサ（ＤＥＭＵＸ）
４    ＡＶデコーダ
１０  リモートコントローラ
１０ｂ第１リモコンコード生成部
１０ｅ第２リモコンコード生成部
１２  ＯＳＤ回路
１３  マイコン
１４  メモリ
【図１】
2007295119.tif 000003
【図２】
2007295119.tif 000004